(57)【要約】【課題】ポスターなどのシート状部材が、巻き癖などを付けることなく丈夫に包装できるようにする。また、複数枚のポスターなどをセット売りできるようにする。【解決手段】底基板１１と、底基板１１の対向する２辺に立設された２つの側基板１２、１３と、一方の側基板１２上端から他方の側基板１３側に底基板１１と略平行に延設された蓋基板１４と、底基板１１上面に接触可能に側基板１２から側基板１３側に延設された底側挟持片１５と、蓋基板１４下面に接触可能に側基板１３から側基板１２側に延設された蓋側挟持片１６と、底側挟持片１５の側基板１３側に側基板１３、蓋側挟持片１６と接触可能に設けられた筒状部１７と、蓋側挟持片１６の側基板１２側に側基板１２、底側挟持片１５と接触可能に設けられた筒状部１８とを有する包装部材３。【選択図】  図１
2005047545.tif 000002
【特許請求の範囲】
【請求項１】
底基板と、底基板の対向する２辺に立設された２つの側基板と、一方の側基板上部から他方の側基板側に底基板と略平行に延設された蓋基板と、底基板上面に接触可能に一方の側基板、若しくは底基板の一方の側基板側から他方の側基板側に延設された底側挟持片と、蓋基板下面に接触可能に他方の側基板、若しくは底基板の他方の側基板側から一方の側基板側に延設された蓋側挟持片と、底側挟持片の他方の側基板側に他方の側基板または蓋側挟持片の少なくとも何れか一方と接触可能に設けられた第１の筒状部と、蓋側挟持片の一方の側基板側に一方の側基板または底側挟持片の少なくとも何れか一方と接触可能に設けられた第２の筒状部と、を有することを特徴とするシート状部材のための包装部材。
【請求項２】
蓋側挟持片が、一方の側基板から離間する側に回動可能に、他方の側基板の底基板側、若しくは底基板の他方の側基板側に設けられたことを特徴とする請求項１記載の包装部材。
【請求項３】
底基板と底側挟持片との間に形成される底側挟持部と、蓋基板と蓋側挟持片との間に形成される蓋側挟持部とが共に略平坦に形成されたことを特徴とする請求項１または２記載
の包装部材。
【請求項４】
少なくとも何れか１つの筒状部は横断面が略雫状に形成されたことを特徴とする請求項１〜３何れかに記載の包装部材。
【請求項５】
請求項１〜４何れかに記載の包装部材の底基板と底側挟持片との間と、蓋基板と蓋側挟持片との間に、シート状部材の一端側と他端側がそれぞれ挿入され、第１の筒状部と第２の筒状部とに案内されてＳ字状に屈曲したシート状部材の中間部が底側挟持片と蓋側挟持片との間に挿入され、包装部材の少なくとも一部が外部包装部材により被覆されたことを特徴とする包装体。
【請求項６】
蓋基板と蓋側挟持片との間にシート状部材の他端側が、一方の側基板と他方の側基板との中間点を超えて挿入されたことを特徴とする請求項５記載の包装体。
【発明の詳細な説明】
【技術分野】
【０００１】
本発明は、ポスターなどのシート状部材を安全に搬送・保管するための包装部材と、シート状部材が包装（収納）された包装体に関するものである。
【背景技術】
【０００２】
アイドルなどのポスターは、１つの箱に同じポスターを多数入れて書店などの販売店まで搬送され、販売店で１枚づつに小分けして販売されている。そして、販売されたポスターは、通常は店員により巻き取られ、包装紙で包装されて購入者に手渡されている。
【０００３】
従来のポスター販売方法では、購入者は購入したポスターを何処にもぶつけないように細心の注意を払って持ち運びしないと、折角購入したポスターが潰れてしまい、壁などに貼るときには折り皺ができていると云った問題点があった。
また、小さな径に巻き取られたポスターは巻き癖が付き、逆向きに巻き取るなどして巻き癖を取り除かないと綺麗に貼れないと云った問題点もあった。
【発明の開示】
【発明が解決しようとする課題】
【０００４】
上記問題点を解消すると共に、ポスターを例えば５枚一組で販売するようなときにも、簡単に対応することができるようにする必要があり、それが解決すべき課題であった。
【課題を解決するための手段】
【０００５】
本発明は、底基板と、底基板の対向する２辺に立設された２つの側基板と、一方の側基板上部から他方の側基板側に底基板と略平行に延設された蓋基板と、底基板上面に接触可能に一方の側基板、若しくは底基板の一方の側基板側から他方の側基板側に延設された底側挟持片と、蓋基板下面に接触可能に他方の側基板、若しくは底基板の他方の側基板側から一方の側基板側に延設された蓋側挟持片と、底側挟持片の他方の側基板側に他方の側基板または蓋側挟持片の少なくとも何れか一方と接触可能に設けられた第１の筒状部と、蓋側挟持片の一方の側基板側に一方の側基板または底側挟持片の少なくとも何れか一方と接触可能に設けられた第２の筒状部と、を有することを最も主要な特徴とする。
【発明の効果】
【０００６】
本発明の包装部材は底基板と、底基板の対向する２辺に立設された２つの側基板と、一方の側基板上部から他方の側基板側に底基板と略平行に延設された蓋基板とを有しているので、本発明の包装部材により包装されたポスターなどのシート状部材は、単に巻き取って包装紙で包装したものより、搬送時に外力を受け難く、変形し難い。
【０００７】
しかも、ポスターなどのシート状部材の一端側が底基板と底側挟持片との間に挿入され、他端側が蓋基板と蓋側挟持片との間に挿入され、第１の筒状部と第２の筒状部とに案内されてＳ字状に屈曲したシート状部材の中間部が底側挟持片と蓋側挟持片との間に挿入されるので、ポスターなどのシート状部材は確実にホールドされる。そのため、購入者の扱いが多少乱暴でも、ポスターなどのシート状部材が包装部材内で踊って周縁部が潰れるなどと云った不都合も起きない。
【０００８】
また、ポスターなどのシート状部材は一端側が底基板と底側挟持片との間に挿入され、他端側が蓋基板と蓋側挟持片との間に挿入されて包装されるので、取り出したシート状部材の両端部は何れも平であるので、壁などに簡単に貼り付けることができる。
【０００９】
さらに、ポスターを例えば５枚一組と云ったセット販売するようなときにも、単にセット販売する枚数だけ重ねて入れておけば、店頭で１枚づつ取り出して重ね、持ち運び易いように巻取り、包装紙で巻くことも不要であるので、販売時の手間が省略できる。
【００１０】
また、例えば５枚一組でポスターをセット販売するときには、セット価格を例えばポスター1枚分だけ安く設定すれば、割安感を強調して販売促進を図ることも可能である。
【発明を実施するための最良の形態】
【００１１】
底基板と、底基板の対向する２辺に立設された２つの側基板と、一方の側基板上部から他方の側基板側に底基板と略平行に延設された蓋基板と、底基板上面に接触可能に一方の側基板から他方の側基板側に延設された底側挟持片と、蓋基板下面に接触可能に他方の側基板から一方の側基板側に延設された蓋側挟持片と、底側挟持片の他方の側基板側に他方の側基板または蓋側挟持片の少なくとも何れか一方と接触可能に設けられた第１の筒状部と、蓋側挟持片の一方の側基板側に一方の側基板または底側挟持片の少なくとも何れか一方と接触可能に設けられた第２の筒状部と、を有するシート状部材のための包装部材。
【実施例１】
【００１２】
図１に例示したように、本発明の包装体１はポスターなどのシート状部材２と、そのシート状部材２を包装した包装部材３と、その包装部材３を収納した外部包装部材としての外箱４とからなる。
【００１３】
なお、本発明の包装体１および包装部材３は、シート状部材２が包装された後は上下反転されても一向に構わないので、上下を意味する文言を使わないで説明するのが好ましいが、便宜上、シート状部材２が簡単に包装できる向き、すなわち包装部材３を図１に示す向きに置いたときに下になる側を包装部材３の下側、上になる側を包装部材３の上側として説明する。
【００１４】
ポスターなどのシート状部材２としては、通常は矩形に作製されたものであるが、矩形以外の形状に作製されていても良い。また、シート状部材２は複数枚収納されても良い。
【００１５】
包装部材３は、矩形に形成された底基板１１と、底基板１１の対向する２辺に立設された２つの側基板１２、１３と、一方の側基板１２の上端部から他方の側基板１３の側に底基板１１と略平行に延設された蓋基板１４とを有する。
【００１６】
また、包装部材３は、底基板１１の上面に接触可能に側基板１２から側基板１３の側に延設された底側挟持片１５と、蓋基板１４の下面に接触可能に側基板１３の上端部から側基板１２の側に延設された蓋側挟持片１６と、底側挟持片１５の側基板１３側に側基板１３または蓋側挟持片１６の少なくとも何れか一方と接触可能に設けられた筒状部（課題を解決する手段で云う第１の筒状体）１７と、蓋側挟持片１６の側基板１２側に側基板１２または底側挟持片１５の少なくとも何れか一方と接触可能に設けられた筒状部（課題を解決する手段で云う第２の筒状体）１８とを有する。
【００１７】
底側挟持片１５は、一端に設けた貼着部１９が側基板１２の内面下部側に貼着されて、底基板１１の上面側に配設されている。また、筒状部１７は側基板１３側の底側挟持片１５の部分が巻かれて形成され、筒状部１８は側基板１２側の蓋側挟持片１６の部分が巻かれて形成されている。そして、筒状部１７は側基板１３と蓋側挟持片１６とに、筒状部１８は側基板１２と底側挟持片１５とに接触可能に形成されている。
【００１８】
したがって、筒状部１７が接触する蓋側挟持片１６により下方に押されることで、底基板１１と底側挟持片１５とは接触し（蓋側挟持片１６が筒状部１７により上方に押されるので、蓋基板１４と蓋側挟持片１６も接触する。）、筒状部１８が接触する底側挟持片１５により上方に押されることで、蓋基板１４と蓋側挟持片１６とは接触する（底側挟持片１５が筒状部１８により下方に押されるので、底基板１１と底側挟持片１５も接触する。）。
【００１９】
本発明の上記構成になる包装部材３は、例えば長い板紙５と短い板紙６とを２枚重ねにした図３に示す構成のカートンブランクス７を折り曲げ・貼着加工することにより形成することができる。なお、図３に示したカートンブランクス７においても、折り曲げ・貼着加工して図１に示した包装部材３を作製したときに、包装部材３の符号で示す各部と対応する部分となる部位に、図１で付した符号と同一の符号を付した。
【００２０】
次に、本発明の包装部材３によりシート状部材２を包装する工程を図４に基づいて説明する。図１に示した形状に折り曲げ加工した本発明の包装部材３、若しくは筒状部１７、１８が既に形成された（斜線部分を巻き付けることで形成される）図３に示す構成のカートンブランクス７の筒状部１７を矢印方向に回動して持ち上げ（図１に示す形状に作製された包装部材３を使用するときには、所要部を一旦押し広げてから使用する。）、底基板１１と底側挟持片１５との間の拡大された底側挟持部２０にシート状部材２の一端２Ａの側を挿し込み、筒状部１７を押し下げる。
【００２１】
次に、シート状部材２の中央部分から他端２Ｂ側を筒状部１７に沿わせて側基板１２の側に反転させ、さらに筒状部１８を矢印方向に回動して側基板１２の側に位置させ（シート状部材２の中央部分から他端２Ｂ側の側基板１２側への移動と、筒状部１８の矢印方向への回動とは同時に行うことも可能。）、続いてシート状部材２の他端２Ｂ側を筒状部１８に沿わせて反転させて蓋側挟持片１６の上に載せ、さらに側基板１２、蓋基板１４を矢印方向に回動して蓋側挟持片１６上のシート状部材２の他端２Ｂの上に位置させる（シート状部材２の他端２Ｂ側の蓋側挟持片１６側への反転移動と、側基板１２、蓋基板１４の矢印方向への回動も同時に行うことは可能。）。
【００２２】
なお、シート状部材２は他端２Ｂの側が側基板１２、１３の中間点２２を超えて側基板１３の側に位置するように包装されると、図４（Ｃ）に示すようにシート状部材２の他端２Ｂの側を蓋側挟持片１６の上に位置させるときに、他端２Ｂ側の質量が大きくなってシート状部材２の弾力により他端２Ｂの側が側基板１２の側に跳ね帰ることがないので、その後の側基板１２、蓋基板１４を矢印方向に回動して蓋側挟持片１６上のシート状部材２の他端２Ｂの上に位置させる操作が容易に行えると云ったメリットがある。
【００２３】
同様の理由で、包装状態、すなわちシート状部材２の他端２Ｂの側を蓋側挟持片１６とで挟持していた蓋基板１４を蓋側挟持片１６から離間する方向に回動して包装を解くときにも、シート状部材２の他端２Ｂの側が側基板１２の側に跳ね上がることがない。
【００２４】
このようにしてシート状部材２が包装された本発明の包装部材３を、開口４Ａを有する紙製などの外箱４に挿入すると、包装部材３は側基板１２または側基板１３が開口部４Ａから露出するが、筒状部１７、１８などの端面が露出している包装部材３の小口は外箱４により封止されるので、視覚的にも優れたものとなる。
【００２５】
本発明の包装部材３により上記のようにして包装されたシート状部材２は、一端２Ａの側が底基板１１と底側挟持片１５との間の底側挟持部２０に位置し、他端２Ｂの側が蓋基板１４と蓋側挟持片１６との間の蓋側挟持部２１に位置し、その中間部は２つの筒状部１７、１８に案内されてＳ字状に屈曲反転され、且つ、筒状部１７は側基板１３、蓋側挟持片１６と接触可能に設けられ、筒状部１８は側基板１２、底側挟持片１５と接触可能に設けられているので、シート状部材２の一端２Ａ側は底基板１１と底側挟持片１５とで挟持され、他端２Ｂ側は蓋基板１４と蓋側挟持片１６とで挟持され、中間部は筒状部１７と側基板１３、筒状部１７と蓋側挟持片１６、筒状部１８と側基板１２、筒状部１８と底側挟持片１５とで略緊張状態に挟持されるので、側基板１２または側基板１３の側を上にして搬送したり保管しても、シート状部材２が移動して荷崩れして損傷することはない。
【００２６】
また、本発明の包装体１は小口側を上下方向に向けて搬送したり、保管しても、包装部材３により包装されたシート状部材２は荷崩れして損傷することがない。
【００２７】
本発明の包装部材３においては、図４（Ａ）などに示したように、側基板１３、蓋側挟持片１６、筒状部１８は回動させて蓋基板１１の略延長線上に位置させることが可能であるので、底基板１１と底側挟持片１５との間の底側挟持部２０にシート状部材２の一端２Ａの側を挿入する操作と、底側挟持部２０に一端２Ａが挿入されていたシート状部材２を引き出す操作が共に容易に行えると云ったメリットがある。
【実施例２】
【００２８】
筒状部１７、１８は、図５に示したように横断面が略雫状に作製されても良い。筒状部１７、１８が図５に示す形状に作製されたときには、筒状部１７、１８と包装されたシート状部材２との接触面積が増大するので、包装されているシート状部材２を固定する筒状部１７、１８の作用効果が一層増大すると云ったメリットがある。
【００２９】
なお、本発明は上記実施例に限定されるものではないので、特許請求の範囲に記載の趣旨から逸脱しない範囲で各種の変形実施が可能である。
【００３０】
例えば、底側挟持片１５、蓋側挟持片１６などには図６に示したように適宜の形状、大きさ、適宜の数の開口２３を設けてデザイン上の工夫を加えると共に、軽量化と素材の削減を図ることも可能である。
【００３１】
また、底側挟持片１５を所要部に配設するために設けた貼着部１９は、図７に示したように側基板１２側の底基板１１の上面に貼着されても良いが、貼着部１９をこのように底基板１１の上面に貼着したときには、底側挟持部２０の底面に段差ができ、シート状部材２を底側挟持部２０を挿入する際の障害となることがある。
【００３２】
また、その段差を乗り越えて挿入されたときには、段差があるために底基板１１と底側挟持片１５とで挟持されたシート状部材２に押し瑕が付くと云った問題点があるので、貼着部１９は図１などに示したように側基板１２の内面に貼着されるのが好ましい。
【００３３】
また、筒状部１７、１８は、一辺が短い多角形を利用して全体が略円筒状、略雫状となるように形成されても良い。また、筒状部１７、１８は別体に形成して装着されるものであっても良いし、発泡スチロールなどの軽量部材で代替されても良い。
【００３４】
また、蓋基板１４と蓋側挟持片１６にはマジックテープなどと称されている繰り返し使用可能な面接着手段などを設けて、蓋基板１４を蓋側挟持片１６の上に仮止め可能にすることなども可能である。また、このような仮止め手段は、側基板１３の上部側面と、その上部側面まで蓋基板１４から屈曲して延設した部分とに設けられても良い。
【００３５】
また、蓋側挟持片１６は、側基板１３側の底基板１１に立設する適宜の取付片を介して蓋基板１４の下面に接触可能に設けるようにしても良い。
【産業上の利用可能性】
【００３６】
本発明の包装部材は、設計図などの搬送・保管するときの包装部材として使用することも可能である。
【図面の簡単な説明】
【００３７】
【図１】本発明の包装体の説明図である。
【図２】一部を破断して示す本発明の包装部材の説明図である。
【図３】本発明の包装部材を作製するためのカートンブランクスの説明図である。
【図４】シート状部材を包装する工程を示す説明図である。
【図５】筒状部の他の断面形状を示す説明図である。
【図６】底側挟持片の他の形状を示す説明図である。
【図７】貼着部の他の貼着例を示す説明図である。
【符号の説明】
【００３８】
１  包装体
２  シート状部材
２Ａ  一端
２Ｂ  他端
３  包装部材
４  外箱
４Ａ  開口
５、６  板紙
７  カートンブランクス
１１  底基板
１２、１３  側基板
１４  蓋基板
１５  底側挟持片
１６  蓋側挟持片
１７、１８  筒状部
１９  貼着部
２０  底側挟持部
２１  蓋側挟持部
２２  中間点
２３  開口
【図１】
2005047545.tif 000003
【図２】
2005047545.tif 000004
【図３】
2005047545.tif 000005
【図４】
2005047545.tif 000006
【図５】
2005047545.tif 000007
【図６】
2005047545.tif 000008
【図７】
2005047545.tif 000009